(57)【要約】【課題】  本考案はダブルサイドテンションに係り、シリンダー錠の奥部を明るく照らすことができ、作業性に優れたピンセット型のダブルサイドテンションを提供すること目的とする。【解決手段】  ライトに着脱自在なライトカバーに取り付き、ピンセット型に形成された左右一対の側面視略Ｌ字状のテンション本体と、被覆部材で被覆され、一端側が前記ライトカバーを挿通し、他端側が前記テンション本体に沿ってテンション本体の先端側に配線された光ファイバーとからなり、一対のテンション本体は、先端側に光ファイバー取付孔が内側の斜め下方に向かって形成され、該テンション本体の先端側に案内された光ファイバーの端部は、テンション本体の外周側から前記光ファイバー取付孔に挿着されていることを特徴とする。【選択図】    図１
0003131077.tif 000002
【実用新案登録請求の範囲】
【請求項１】
ライトに着脱自在なライトカバーに取り付き、ピンセット型に形成された左右一対の側面視略Ｌ字状のテンション本体と、
被覆部材で被覆され、一端側が前記ライトカバーを挿通し、他端側が前記テンション本体に沿ってテンション本体の先端側に配線された光ファイバーとからなり、
一対のテンション本体は、先端側に光ファイバー取付孔が内側の斜め下方に向かって形成され、
該テンション本体の先端側に案内された光ファイバーの端部は、テンション本体の外周側から前記光ファイバー取付孔に挿着されていることを特徴とするダブルサイドテンション。
【請求項２】
前記光ファイバーは、固定部材を介してテンション本体に固定されていることを特徴とする請求項１に記載のダブルサイドテンション。
【請求項３】
前記光ファイバーの先端側に、前記被覆部材に代えて金属製のチューブが被覆され、該チューブが光ファイバー取付孔に固定されていることを特徴とする請求項１または請求項２に記載のダブルサイドテンション。
【請求項４】
前記光ファイバー取付孔より先端側のテンション本体の外周に、鍵穴固定用のスリットが設けられていることを特徴とする請求項１乃至請求項３のいずれか１項に記載のダブルサイドテンション。
【請求項５】
ライトカバー毎に径の異なる光ファイバーがテンション本体に沿って配線された複数のライトカバーが用意され、各ライトカバーは、シリンダー錠の仕様に応じて交換可能であることを特徴とする請求項１乃至請求項４のいずれか１項に記載のダブルサイドテンション。
【請求項６】
ライトカバー毎に先端幅を異にした一対のテンション本体が取り付く複数のライトカバーが用意され、各ライトカバーは、シリンダー錠の仕様に応じて交換可能であることを特徴とする請求項１乃至請求項５のいずれか１項に記載のダブルサイドテンション。
【考案の詳細な説明】
【技術分野】
【０００１】
本考案はダブルサイドテンションに係り、詳しくは自動車のシリンダー錠のピッキングに用いるピンセット型のダブルサイドテンションに関する。
【背景技術】
【０００２】
一般に自動車のシリンダー錠は、ごみやホコリ，雨水等の浸入を防止し、また、キーコードを隠す目的で鍵穴部分をシャッターで塞いだ構造となっており、キーを差し込むとシャッターが倒れる仕組みになっている。
そして、従来、この種のシリンダー錠をピッキングする際に、ダブルサイドテンションとピックが使用されているが、特許文献１には、シリンダー内部を覗き乍らの作業を容易にするため、照明装置を備えたピンセット型のダブルサイドテンションが開示されている。
【０００３】
図１４乃至図１６は特許文献１に開示されたダブルサイドテンションを示し、このダブルサイドテンション１は、電池ケース３の一端側に、ピンセット型に形成された一対の側面視略Ｌ字状のテンション本体（Ｌ字形操作棒）５を固定し、該テンション本体５の両先端にＵ字状溝７を形成してこのＵ字状溝７に発光ダイオード（以下、「ＬＥＤ」という）９を装着すると共に、テンション本体５の内側の長手方向に電線１１の通る溝１３を設けたもので、電池ケース３の他端側に光源用ＯＮ／ＯＦＦ装置１５が設けられている。
【０００４】
また、前記ダブルサイドテンション１は、一方のテンション本体５にネジ１７が挿着されており、図１７乃至図１９に示すように両テンション本体５の先端をシリンダー錠１９の鍵穴２１部分に挿入してシャッター２３を押し開けた後、前記ネジ１７を締め付けると、テンション本体５がシリンダー２５内で押し広がってダブルサイドテンション１がシリンダー錠１９に固定されるように構成されている。
【０００５】
そして、斯かる状態でＬＥＤ９を発光させると、シリンダー２５内が照らされるようになっている。
【特許文献１】実用新案登録第３１００３４６号公報
【考案の開示】
【考案が解決しようとする課題】
【０００６】
しかし乍ら、前記ダブルサイドテンション１は、図１８の如くＬＥＤ９を発光させてシリンダー２５内を照らした際に、シリンダー２５の入口付近はＬＥＤ９で照らされて明るくなるものの、入口に比べてシリンダー２５の奥部に十分な光が届かず、奥部が暗くて作業性が悪いといった欠点が指摘されている。
また、Ｕ字状溝７に装着されたＬＥＤ９のレンズがテンション本体５の両先端から突出しているため、該レンズで直接シリンダー錠１９のシャッター２３を押し開けることとなり、長期に亘る使用でＬＥＤ９（レンズ）が破損してしまう危険が懸念されている。
【０００７】
本考案は斯かる実情に鑑み案出されたもので、シリンダー錠の奥部を明るく照らすことができ、作業性に優れたピンセット型のダブルサイドテンションを提供することを目的とする。
【課題を解決するための手段】
【０００８】
斯かる目的を達成するため、請求項１に係る考案は、ライトに着脱自在なライトカバーに取り付き、ピンセット型に形成された左右一対の側面視略Ｌ字状のテンション本体と、被覆部材で被覆され、一端側が前記ライトカバーを挿通し、他端側が前記テンション本体に沿ってテンション本体の先端側に配線された光ファイバーとからなり、一対のテンション本体は、先端側に光ファイバー取付孔が内側の斜め下方に向かって形成され、該テンション本体の先端側に案内された光ファイバーの端部は、テンション本体の外周側から前記光ファイバー取付孔に挿着されていることを特徴とする。
【０００９】
そして、請求項２に係る考案は、請求項１に記載のダブルサイドテンションに於て、前記光ファイバーは、固定部材を介してテンション本体に固定されていることを特徴とし、請求項３に係る考案は、請求項１または請求項２に記載のダブルサイドテンションに於て、前記光ファイバーの先端側に、前記被覆部材に代えて金属製のチューブが被覆され、該チューブが光ファイバー取付孔に固定されていることを特徴とする。
【００１０】
更に、請求項４に係る考案は、請求項１乃至請求項３のいずれか１項に記載のダブルサイドテンションに於て、前記光ファイバー取付孔より先端側のテンション本体の外周に、鍵穴固定用のスリットが設けられていることを特徴とし、請求項５に係る考案は、請求項１乃至請求項４のいずれか１項に記載のダブルサイドテンションに於て、ライトカバー毎に径の異なる光ファイバーがテンション本体に沿って配線された複数のライトカバーが用意され、各ライトカバーは、シリンダー錠の仕様に応じて交換可能であることを特徴とする。
【００１１】
そして、請求項６に係る考案は、請求項１乃至請求項５のいずれか１項に記載のダブルサイドテンションに於て、ライトカバー毎に先端幅を異にした一対のテンション本体が取り付く複数のライトカバーが用意され、各ライトカバーは、シリンダー錠の仕様に応じて交換可能であることを特徴としている。
【考案の効果】
【００１２】
請求項１に係る考案によれば、光ファイバーを介して伝達されたライトの光が、シリンダー錠のシリンダーの奥部を照らすことができるため、従来に比し作業性が著しく向上することとなった。
また、ダブルサイドテンション先端は金属製のため、特許文献１の従来例に比し耐久性にも優れている。
【００１３】
そして、請求項２に係る考案によれば、光ファイバーを固定部材でテンション本体に固定したので、作業時に光ファイバーが邪魔になることがなく、光ファイバーを物に引っ掛けて破損してしまうこともない。
また、請求項３に係る考案によれば、金属製のチューブを用いて光ファイバーを光ファイバー取付孔に固定したので、耐久性に優れ、長期に亘って機能を維持することができる利点を有する。
【００１４】
更に、請求項４に係る考案によれば、スリットにシリンダー錠の鍵穴の周縁部を係止してダブルサイドテンションの位置決めと抜け止めを図ったため、作業性に優れた利点を有する。
そして、請求項５に係る考案によれば、ライトカバー毎に径の異なる光ファイバーを一対のテンション本体に沿って配線した複数のライトカバーを用意して、例えば、より明るい光を必要とする場合に、径の太い光ファイバーを用いたライトカバーに交換可能とすることで、シリンダー錠の仕様や作業状況に応じた使用が可能となって、実用性が更に向上する。
【００１５】
同様に、請求項６に係る考案の如く、ライトカバー毎にストレート部の先端幅を異にした一対のテンション本体が取り付く複数のライトカバーを用意して、各ライトカバーをシリンダー錠の仕様に応じて交換可能としても、更に実用性が向上する利点を有する。
【考案を実施するための最良の形態】
【００１６】
以下、本考案の一実施形態を図面に基づいて詳細に説明する。
図１乃至図３は請求項１乃至請求項４の一実施形態に係るダブルサイドテンションを示し、図に於て、３１は既製のＬＥＤライトで、該ＬＥＤライト３１は、円筒状に形成されたケーシング３３の前部にライトカバー３５が着脱自在に取り付き、ケーシング３３の後部に設けたＯＮ／ＯＦＦスイッチ３７の操作でＬＥＤ３９がＯＮ／ＯＦＦするようになっている。
【００１７】
図４に示すようにＬＥＤ３９は、ケーシング３３の前部に設けられた凹状の収納部４１内に装着され、その外周をリフレクタ４３が囲繞している。そして、ケーシング３３の前部外周に設けた雄ネジ部４５に、図５の如く連結部４７の内周に雌ネジ部４９が設けられたライトカバー３５が着脱自在に螺着されており、ケーシング３３とライトカバー３５は軽量なアルミ材で形成されている。
【００１８】
図５乃至図８に示すようにライトカバー３５は、ケーシング３３よりも大径な円筒状に形成され、その後部側にケーシング３３の前部に連結する凹状の連結部４７が開口し、その奥部の内周に前記雌ネジ部４９が設けられている。
そして、ライトカバー３５の中心軸に沿って２本の光ファイバー挿通孔５１が僅かな間隔を空けて水平に形成されると共に、これらと直交してライトカバー３５の下部に１つのスリット５３がライトカバー３５の前部からその略中間部に亘って設けられ、更に、該スリット５３と直交して２つのノックピン挿通孔５５がライトカバー３５の左右方向に設けられている。そして、前記スリット５３に、左右対称な一対のテンション本体５７，５９が取り付けられている。
【００１９】
図９乃至図１１に示すようにテンション本体５７，５９は、ステンレスで形成された側面視略Ｌ字状をなし、その基部側の２箇所がスポット溶接されて一対のピンセット型に形成されている。
そして、図９，図１０及び図１２に示すようにＬ字状に折曲されたテンション本体５７，５９の先端側に、光ファイバー取付孔６１，６３が内側の斜め下方に向かって上下方向に形成されると共に、光ファイバー取付孔６１，６３よりも更に先端側は、図示しないシリンダー錠の鍵穴に合わせたストレート部６５，６７となっている。そして、該ストレート部６５，６７は、作業時の視認性を考慮して先端側が順次肉薄となるように内側に傾斜部６９，７１が設けられている。
【００２０】
また、両ストレート部６５，６７の外周には、鍵穴固定用のスリット７３，７５が横方向に設けられており、前記ストレート部６５，６７の先端をシリンダー錠の鍵穴部分に挿入してシャッターを押し開けた後、該スリット７３，７５にシリンダー錠の鍵穴の周縁部を係止させると、本実施形態に係るダブルサイドテンション７７の位置決めと抜け止めが図られるようになっている。
【００２１】
而して、このように構成されたピンセット型のテンション本体５７，５９は、図１に示すようにライトカバー３５に設けた前記スリット５３内にその基部側が挿入されて２本のノックピン７９で固定されており、図９に示すようにテンション本体５７，５９の基部側には、ライトカバー３５に設けたノックピン挿通孔５５に対応してノックピン挿通孔８１が設けられている。
【００２２】
そして、図１乃至図３に示すように、ライトカバー３５の光ファイバー挿通孔５１からテンション本体５７，５９の光ファイバー取付孔６１，６３に亘って、２本の光ファイバー８３が配線されている。
従来周知のように光ファイバー８３は、プラスチックで形成された細長い繊維状の物質で、中心部のコアとその周囲を覆うクラッドの二重構造となっている。そして、図１及び図１２に示すように光ファイバー８３は、外周をゴムや合成樹脂で形成された収縮チューブ（被覆部材）８５で被覆されており、該収縮チューブ８５で被覆された２本の光ファイバー７９の一端側は、夫々、前記光ファイバー挿通孔５１を挿通してＬＥＤ３９に対向配置されている。
【００２３】
そして、図１乃至図３に示すように光ファイバー８３は、夫々、両テンション本体５７，５９の上部に沿って光ファイバー取付孔６１，６３へと配線されると共に、テンション本体５７，５９に取り付けた別途の収縮チューブ（固定部材）８７によってテンション本体５７，５９の上部に固定されている。そして、光ファイバー取付孔６１，６３へと配線された光ファイバー８３の他端側は、テンション本体５７，５９の外周側から光ファイバー取付孔６１，６３へと配線されているが、図１，図３及び図１３に示すように光ファイバー７５の他端側は、前記収縮チューブ８５に代えてアルミまたはステンレス製のチューブ８９が被覆されており、図３の如く該チューブ８９と収縮チューブ８５は接着剤９１で連結されている。
【００２４】
而して、図１及び図３に示すように前記チューブ８９は、光ファイバー取付孔６１，６３に沿って該光ファイバー取付孔６１，６３に挿入されて、その外周が光ファイバー取付孔６１，６３の周縁部に半田付け（図中、符合９３）されており、斯様に光ファイバー取付孔６１，６３に沿って光ファイバー８３をチューブ８９を介して配線することで、図３の如く光ファイバー８３を介して伝達されたＬＥＤ３９の光が、テンション本体５７，５９の先端から距離Ｌの位置で焦点が合うようになっている。
【００２５】
そして、前記距離Ｌは、様々な仕様のシリンダー錠の奥部を照らすことができる寸法である。
その他、図２及び図３に於て、９５，９７は光ファイバー挿通孔５１に挿通した光ファイバー８３（収縮チューブ８５）をライトカバー３５に固定する接着剤である。
本実施形態に係るダブルサイドテンション７７はこのように構成されているから、該ダブルサイドテンション７７を用いて自動車のシリンダー錠をピッキングするには、テンション本体５７，５９のストレート部６５，６７の先端をシリンダー錠の鍵穴部分に挿入してシャッターを押し開け、スリット７３，７５にシリンダー錠の鍵穴の周縁部を係止してダブルサイドテンション７７の位置決めと抜け止めを図った後、ＯＮ／ＯＦＦスイッチ３７をＯＮ操作すればよい。
【００２６】
而して、斯様にＯＮ／ＯＦＦスイッチ３７をＯＮ操作すると、ＬＥＤ３９が点灯し、２本の光ファイバー８３を介して伝達されたＬＥＤ３９の光が、図３の如くテンション本体５７，５９の先端から距離Ｌの位置で焦点が合ってシリンダー錠の奥部を照らすこととなる。
そして、ダブルサイドテンション７７でシリンダーにテンションを掛け乍ら、シリンダー錠にピックを差し込んでタンブラーを押し上げてシアラインを揃えればよく、この作業中、ダブルサイドテンション７７からの光がシリンダー錠の奥部を照らしている。
【００２７】
尚、夜間の作業では、予めＯＮ／ＯＦＦスイッチ３７をＯＮ操作してＬＥＤ３９を点灯させておけば、ＬＥＤ３９の光でシリンダー錠の鍵穴部分を照射できるため、ストレート部６５，６７の先端を鍵穴部分に挿入することが容易である。
このように本実施形態に係るダブルサイドテンション７７は、図３の如く光ファイバー８３を介して伝達されたＬＥＤ３９の光が、テンション本体５７，５９の先端から距離Ｌの位置で焦点が合って、様々な仕様のシリンダー錠の奥部を照らすことができるように構成したので、図１４以下に示す従来例に比し作業性が著しく向上することとなった。
【００２８】
而も、本実施形態では、収縮チューブ８５で被覆された２本の光ファイバー８３を、夫々、収縮チューブ８７でテンション本体５７，５９に固定したので、作業時に光ファイバー８３が邪魔になることもないし、光ファイバー８３を物に引っ掛けて破損してしまうこともない。
また、テンション本体５７，５９の先端は金属製のため、特許文献１の従来例に比し耐久性にも優れている。
【００２９】
更に、本実施形態は、金属製のチューブ８９を用いて光ファイバー８３を光ファイバー取付孔６１，６３に固定して、図３の如く光ファイバー８３を介して伝達されたＬＥＤ３９の光がテンション本体５７，５９の先端から距離Ｌの位置で焦点が合うように構成したので、耐久性に優れ、長期に亘って斯かる機能を維持することができる利点を有する。
また、スリット７３，７５にシリンダー錠の鍵穴の周縁部を係止してダブルサイドテンション７７の位置決めと抜け止めを図った構造上、作業性に優れた利点を有する。
【００３０】
尚、既述したライトカバー３５はＬＥＤライト３１から着脱自在であるため、請求項１乃至請求項５の一実施形態の如く、ライトカバー毎に径の異なる光ファイバーを前記実施形態の如く一対のテンション本体に沿って配線した複数のライトカバーを用意して、例えば、より明るい光を必要とする場合に、径の太い光ファイバーを用いたライトカバーに交換可能とすれば、シリンダー錠の仕様や作業状況に応じた使用が可能で実用性が更に向上する。
【００３１】
また、請求項１乃至請求項５の一実施形態の如く、ライトカバー毎にストレート部の先端幅を異にした一対のテンション本体が取り付く複数のライトカバーを用意して、各ライトカバーをシリンダー錠の仕様に応じて交換可能としてもよく、この実施形態にあっても、図１の実施形態に比し実用性が更に向上する利点を有する。
そして、図１の実施形態では既製のＬＥＤライト３１を使用したが、その他周知のオリジナルライトを用いてもよい。
【図面の簡単な説明】
【００３２】
【図１】請求項１乃至請求項４の一実施形態に係るダブルサイドテンションの要部切欠き側面図である。
【図２】ダブルサイドテンションの要部切欠き平面図である。
【図３】ダブルサイドテンションの正面図である。
【図４】ＬＥＤライトの要部切欠き側面図である。
【図５】ライトカバーの側面図である。
【図６】ライトカバーの正面図である。
【図７】ライトカバーの背面図である。
【図８】図７のVIII−VIII線断面図である。
【図９】テンション本体の側面図である。
【図１０】テンション本体の平面図である。
【図１１】テンション本体の底面図である。
【図１２】図９のXII−XII線断面図である。
【図１３】光ファイバーの端部の断面図である。
【図１４】特許文献１に開示されたダブルサイドテンションの全体斜視図である。
【図１５】図１４に示すダブルサイドテンションの要部拡大斜視図である。
【図１６】図１４のA−A線断面図である。
【図１７】図１４に示すダブルサイドテンションの使用状態の説明図である。
【図１８】図１４に示すダブルサイドテンションの使用状態の説明図である。
【図１９】図１４に示すダブルサイドテンションの使用状態の説明図である。
【符号の説明】
【００３３】
３１  ＬＥＤライト
３３  ケーシング
３５  ライトカバー
３７  ＯＮ／ＯＦＦスイッチ
３９  ＬＥＤ
４１  収納部
４３  リフレクタ
４７  連結部
５１  光ファイバー挿通孔
５３  スリット
５５，８１  ノックピン挿通孔
５７，５９  テンション本体
６１，６３  光ファイバー取付孔
６５，６７  ストレート部
７３，７５  スリット
７７  ダブルサイドテンション
７９  ノックピン
８３  光ファイバー
８５，８７  収縮チューブ
８９  チューブ
【図１】
0003131077.tif 000003
【図２】
0003131077.tif 000004
【図３】
0003131077.tif 000005
【図４】
0003131077.tif 000006
【図５】
0003131077.tif 000007
【図６】
0003131077.tif 000008
【図７】
0003131077.tif 000009
【図８】
0003131077.tif 000010
【図９】
0003131077.tif 000011
【図１０】
0003131077.tif 000012
【図１１】
0003131077.tif 000013
【図１２】
0003131077.tif 000014
【図１３】
0003131077.tif 000015
【図１４】
0003131077.tif 000016
【図１５】
0003131077.tif 000017
【図１６】
0003131077.tif 000018
【図１７】
0003131077.tif 000019
【図１８】
0003131077.tif 000020
【図１９】
0003131077.tif 000021